(57)【要約】【課題】  分散電源の出力を抑制電力閾値以下に抑制するケースにおいて、ユーザの不利益を軽減することを可能とする電力管理装置及び電力管理システムを提供する。【解決手段】  ＥＭＳ２００は、複数の太陽電池１１０の合計出力を抑制すべき期間である抑制期間において、複数のＰＣＳ１３０のうち、１以上のＰＣＳ１３０である対象変換装置を電力系統から解列する制御を行い、対象変換装置は、電力系統１０から解列された状態で負荷１５０に対する電力を供給する。【選択図】  図４
2016158405.tif 000002
【特許請求の範囲】
【請求項１】
複数の分散電源を個別に制御する複数の電力変換装置を管理する制御部と、
前記複数の分散電源の合計出力を抑制すべき期間である抑制期間を示す情報を外部処理装置から受信する通信部とを備え、
前記制御部は、前記抑制期間において、前記複数の電力変換装置のうち、１以上の電力変換装置である対象変換装置を電力系統から解列する制御を行い、
前記対象変換装置は、前記電力系統から解列された状態で負荷に対する電力を供給することを特徴とする電力管理装置。
【請求項２】
前記複数の電力変換装置は、前記電力系統に接続された主幹電力線と複数の分岐電力線を介して個別に接続されており、
前記主幹電力線には、リレーが設けられており、
前記制御部は、前記抑制期間において、前記リレーを閉状態から開状態に切り替えることによって、前記主幹電力線上において前記リレーよりも下流に接続された電力変換装置を前記対象変換装置として電力系統から解列する制御を行うことを特徴とする請求項１に記載の電力管理装置。
【請求項３】
前記複数の電力変換装置は、前記電力系統に接続された主幹電力線と複数の分岐電力線を介して個別に接続されており、
前記複数の分岐電力線には、複数のリレーが個別に設けられており、
前記制御部は、前記複数の電力変換装置の中から、前記複数の電力変換装置のそれぞれの出力能力に基づいて前記対象変換装置を選択し、
前記制御部は、前記抑制期間において、前記対象変換装置に接続された分岐電力線に設けられるリレーを閉状態から開状態に切り替える制御を行うことを特徴とする請求項１に記載の電力管理装置。
【請求項４】
前記制御部は、前記出力能力が大きい電力変換装置を優先的に前記対象変換装置として選択することを特徴とする請求項３に記載の電力管理装置。
【請求項５】
前記制御部は、前記対象変換装置の出力によって負荷の消費電力を賄える場合に、前記対象変換装置を前記電力系統から解列する制御を行うことを特徴とする請求項１乃至請求項４のいずれかに記載の電力管理装置。
【請求項６】
前記制御部は、前記対象変換装置が電力系統から解列された場合に、前記複数の分散電源の合計出力の抑制が正しく実行されたか否かを検証するための検証記録として、前記対象変換装置を除く分散電源に接続された電力変換装置の出力値を出力することを特徴とする請求項１乃至請求項５のいずれかに記載の電力管理装置。
【請求項７】
複数の分散電源と、
前記複数の分散電源を個別に制御する複数の電力変換装置と、
前記複数の分散電源の合計出力を抑制すべき期間である抑制期間において、前記複数の電力変換装置のうち、１以上の電力変換装置である対象変換装置を電力系統から解列する制御を行う電力管理装置とを備え、
前記対象変換装置は、前記電力系統から解列された状態で負荷に対する電力を供給することを特徴とする電力管理システム。
【発明の詳細な説明】
【技術分野】
【０００１】
本発明は、複数の分散電源を個別に制御する複数の電力変換装置と通信を行う電力管理装置及び電力管理システムに関する。
【背景技術】
【０００２】
ＤＣ電力を出力する分散電源に接続された電力変換装置（パワーコンディショナ）が知られている。電力変換装置は、分散電源から入力されるＤＣ電力の電圧を変換する直流コンバータ（ＤＣ／ＤＣコンバータ）と、直流コンバータから入力されるＤＣ電力をＡＣ電力に変換するインバータとを備える（例えば、特許文献１）。
【０００３】
ここで、電力変換装置は、分散電源の出力の抑制を指示するメッセージ（以下、出力抑制メッセージ）を受信すると、出力抑制メッセージによって定まる抑制電力閾値以下に分散電源の出力を抑制しなければならない。
【先行技術文献】
【特許文献】
【０００４】
【特許文献１】特開２０１４−１７１３５９号公報
【発明の概要】
【発明が解決しようとする課題】
【０００５】
しかしながら、出力抑制メッセージによって定まる抑制電力閾値以下に分散電源の出力が抑制されると、ユーザが様々な不利益を被る。例えば、このような不利益としては、分散電源の出力の逆潮流によって得られる売電電力の減少、分散電源の出力で賄えた負荷の消費電力（自家消費電力）に対応する買電電力の増大などが考えられる。
【０００６】
そこで、本発明は、上述した課題を解決するためになされたものであり、分散電源の出力を抑制電力閾値以下に抑制するケースにおいて、ユーザの不利益を軽減することを可能とする電力管理装置及び電力管理システムを提供することを目的とする。
【課題を解決するための手段】
【０００７】
第１の特徴は、電力変換装置であって、複数の分散電源を個別に制御する複数の電力変換装置を管理する制御部と、前記複数の分散電源の合計出力を抑制すべき期間である抑制期間を示す情報を外部処理装置から受信する通信部とを備え、前記制御部は、前記抑制期間において、前記複数の電力変換装置のうち、１以上の電力変換装置である対象変換装置を電力系統から解列する制御を行い、前記対象変換装置は、前記電力系統から解列された状態で負荷に対する電力を供給することを要旨とする。
【０００８】
第２の特徴は、第１の特徴において、前記複数の電力変換装置は、前記電力系統に接続された主幹電力線と複数の分岐電力線を介して個別に接続されており、前記主幹電力線には、リレーが設けられており、前記制御部は、前記抑制期間において、前記リレーを閉状態から開状態に切り替えることによって、前記主幹電力線上において前記リレーよりも下流に接続された電力変換装置を前記対象変換装置として電力系統から解列する制御を行うことを要旨とする。
【０００９】
第３の特徴は、第１の特徴において、前記複数の電力変換装置は、前記電力系統に接続された主幹電力線と複数の分岐電力線を介して個別に接続されており、前記複数の分岐電力線には、複数のリレーが個別に設けられており、前記制御部は、前記複数の電力変換装置の中から、前記複数の電力変換装置のそれぞれの出力能力に基づいて前記対象変換装置を選択し、前記制御部は、前記抑制期間において、前記対象変換装置に接続された分岐電力線に設けられるリレーを閉状態から開状態に切り替える制御を行うことを要旨とする。
【００１０】
第４の特徴は、第３の特徴において、前記制御部は、前記出力能力が大きい電力変換装置を優先的に前記対象変換装置として選択することを要旨とする。
【００１１】
第５の特徴は、第１の特徴乃至第４の特徴のいずれかにおいて、前記制御部は、前記対象変換装置の出力によって負荷の消費電力を賄える場合に、前記対象変換装置を前記電力系統から解列する制御を行うことを要旨とする。
【００１２】
第６の特徴は、第１の特徴乃至第５の特徴のいずれかにおいて、前記制御部は、前記対象変換装置が電力系統から解列された場合に、前記複数の分散電源の合計出力の抑制が正しく実行されたか否かを検証するための検証記録として、前記対象変換装置を除く分散電源に接続された電力変換装置の出力値を出力することを要旨とする。
【００１３】
第７の特徴は、電力管理システムであって、複数の分散電源と、前記複数の分散電源を個別に制御する複数の電力変換装置と、前記複数の分散電源の合計出力を抑制すべき期間である抑制期間において、前記複数の電力変換装置のうち、１以上の電力変換装置である対象変換装置を電力系統から解列する制御を行う電力管理装置とを備え、前記対象変換装置は、前記電力系統から解列された状態で負荷に対する電力を供給することを要旨とする。
【発明の効果】
【００１４】
本発明によれば、分散電源の出力を抑制電力閾値以下に抑制するケースにおいて、ユーザの不利益を軽減することを可能とする電力管理装置及び電力管理システムを提供することができる。
【図面の簡単な説明】
【００１５】
【図１】図１は、実施形態に係る電力管理システム１を示す図である。
【図２】図２は、実施形態に係るＰＣＳ１３０１を示す図である。
【図３】図３は、実施形態に係るＰＣＳ１３０２を示す図である。
【図４】図４は、実施形態に係るＥＭＳ２００を示す図である。
【図５】図５は、実施形態に係る制御方法を示すフロー図である。
【図６】図６は、変更例１に係る電力管理システム１を示す図である。
【図７】図７は、変更例２に係るＥＭＳ２００を示す図である。
【発明を実施するための形態】
【００１６】
以下において、実施形態について図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る電力変換装置は、複数の分散電源を個別に制御する複数の電力変換装置を管理する制御部と、前記複数の分散電源の合計出力を抑制すべき期間である抑制期間を示す情報を外部処理装置から受信する通信部とを備え、前記制御部は、前記抑制期間において、前記複数の電力変換装置のうち、１以上の電力変換装置である対象変換装置を電力系統から解列する制御を行い、前記対象変換装置は、前記電力系統から解列された状態で負荷に対する電力を供給する。
【００１９】
実施形態では、制御部は、抑制期間において、複数の電力変換装置のうち、１以上の電力変換装置である対象変換装置を電力系統から解列する制御を行う。このような場合には、複数の分散電源（需要家施設）の全体として分散電源の出力抑制が実現されているため、対象変換装置以外の電力変換装置に接続された分散電源の出力を抑制する必要がない。従って、分散電源の出力を抑制電力閾値以下に抑制するケースにおいて、ユーザの不利益が軽減される。
【００２０】
［実施形態］
以下において、実施形態に係る電力管理システムについて説明する。図１は、実施形態に係る電力管理システム１を示す図である。
【００２１】
図１に示すように、電力管理システム１は、需要家施設１００と、外部サーバ４００と、記録装置５００とを有する。需要家施設１００は、ＥＭＳ２００を有しており、ＥＭＳ２００は、ネットッワーク３００を介して、外部サーバ４００及び記録装置５００と通信を行う。
【００２２】
需要家施設１００は、太陽電池１１０（太陽電池１１０１及び太陽電池１１０２）と、蓄電池１２０と、ＰＣＳ１３０（ＰＣＳ１３０１及びＰＣＳ１３０２）と、分電盤１４０と、負荷１５０とを有する。さらに、需要家施設１００は、複数のＰＣＳ１３０を管理するＥＭＳ２００を有する。
【００２３】
太陽電池１１０（ここでは、太陽電池１１０１及び太陽電池１１０２）は、受光に応じて発電を行う装置である。太陽電池１１０は、発電されたＤＣ電力を出力する。太陽電池１１０の発電量は、太陽電池１１０に照射される日射量に応じて変化する。太陽電池１１０は、後述する出力抑制メッセージに従って動作すべき分散電源の一例である。
【００２４】
蓄電池１２０は、電力を蓄積する装置である。蓄電池１２０は、蓄積されたＤＣ電力を出力する。実施形態では、蓄電池１２０は、後述する出力抑制メッセージに従って動作する必要がないことに留意すべきである。
【００２５】
ＰＣＳ１３０（ここでは、ＰＣＳ１３０１及びＰＣＳ１３０２）は、ＤＣ電力をＡＣ電力に変換する電力変換装置（ＰＣＳ；Ｐｏｗｅｒ  Ｃｏｎｄｉｔｉｏｎｉｎｇ  Ｓｙｓｔｅｍ）の一例である。
【００２６】
実施形態では、ＰＣＳ１３０１は、電力系統１０に接続された主幹電力線１０Ｌと分岐電力線１１Ｌを介して接続される。ＰＣＳ１３０１は、太陽電池１１０１を制御する。ＰＣＳ１３０１は、太陽電池１１０１から入力されるＤＣ電力をＡＣ電力に変換する。
【００２７】
一方で、ＰＣＳ１３０２は、電力系統１０に接続された主幹電力線１０Ｌと分岐電力線１２Ｌを介して接続される。ＰＣＳ１３０２は、太陽電池１１０２及び蓄電池１２０を制御する。ＰＣＳ１３０２は、太陽電池１１０２から入力されるＤＣ電力をＡＣ電力に変換するとともに、蓄電池１２０から入力されるＤＣ電力をＡＣ電力に変換する。さらに、ＰＣＳ１３０は、電力系統１０から供給されるＡＣ電力をＤＣ電力に変換する。
【００２８】
このように、複数のＰＣＳ１３０は、複数の太陽電池１１０を個別に制御する。複数のＰＣＳ１３０は、主幹電力線１０Ｌと複数の分岐電力線を介して個別に接続されている。さらに、主幹電力線１０Ｌには、リレー１０Ｓが設けられている。リレー１０Ｓは、主幹電力線１０Ｌ及び分岐電力線１１Ｌの接点と主幹電力線１０Ｌ及び分岐電力線１２Ｌの接点との間に設けられる。
【００２９】
分電盤１４０は、主幹電力線１０Ｌに接続される。分電盤１４０は、主幹電力線１０Ｌを複数の電力線に分岐するとともに、複数の電力線に接続された機器（ここでは、負荷１５０及びＥＭＳ２００）に電力を分配する。
【００３０】
負荷１５０は、電力線を介して供給される電力を消費する装置である。例えば、負荷１５０は、冷蔵庫、照明、エアコン、テレビなどの装置を含む。負荷１５０は、単数の装置であってもよく、複数の装置を含んでもよい。
【００３１】
ＥＭＳ２００は、電力系統１０から需要家施設１００に供給される電力を示す電力情報を管理する装置（ＥＭＳ；Ｅｎｅｒｇｙ  Ｍａｎａｇｅｍｅｎｔ  Ｓｙｓｔｅｍ）である。ＥＭＳ２００は、太陽電池１１０の発電量、蓄電池１２０の充電量及び蓄電池１２０の放電量を管理してもよい。
【００３２】
実施形態では、ＥＭＳ２００は、リレー１０Ｓ、ＰＣＳ１３０及びネットッワーク３００に接続される。例えば、ＥＭＳ２００は、後述する出力抑制メッセージを外部サーバ４００から受信する。或いは、ＥＭＳ２００は、後述する計画表（カレンダー）を外部サーバ４００から受信する。
【００３３】
ネットッワーク３００は、ＥＭＳ２００、外部サーバ４００及び記録装置５００を接続する通信網である。ネットッワーク３００は、インターネットであってもよい。ネットッワーク３００は、移動体通信網を含んでもよい。
【００３４】
外部サーバ４００は、分散電源（ここでは、太陽電池１１０）の出力の抑制を指示するメッセージである出力抑制メッセージを通知する外部処理装置の一例である。ここで、外部サーバ４００は、電力系統１０の全体として、分散電源の出力を抑制すべき日時を含む計画表（カレンダー）を管理していてもよい。外部サーバ４００は、このような計画表（カレンダー）に基づいて、出力抑制メッセージを通知する。或いは、外部サーバ４００は、このような計画表（カレンダー）をＥＭＳ２００に通知してもよい。出力抑制メッセージ及び計画表（カレンダー）は、分散電源（ここでは、太陽電池１１０）の出力を抑制すべき抑制期間を示す情報の一例である。
【００３５】
ここで、出力抑制メッセージ及び計画表（カレンダー）は、分散電源（ここでは、太陽電池１１０）の出力の抑制度合い（例えば、出力抑制電力閾値）を示す情報を含む。抑制度合いは、分散電源（ここでは、太陽電池１１０）の出力の絶対値（例えば、○○ｋＷ）で表されてもよい。或いは、抑制度合いは、分散電源（ここでは、太陽電池１１０）の出力の相対値（例えば、○○ｋＷの減少）で表されてもよい。或いは、抑制度合いは、分散電源（ここでは、太陽電池１１０）の出力の抑制割合（例えば、○○％）で表されてもよい。抑制割合とは、需要家施設１００に分散電源を設置する際に、分散電源を制御するＰＣＳの出力能力として認定を受けた出力（以下、設備認定出力）に対する割合であることが好ましい。分散電源の出力能力とＰＣＳの出力能力とが異なる場合には、設備認定出力は、これらの出力能力のうち、小さい方の出力能力である。複数のＰＣＳが設置されるケースにおいては、設備認定出力は、複数のＰＣＳの出力能力の合計である。
【００３６】
例えば、太陽電池１１０１の出力能力が２ｋＷであり、ＰＣＳ１３０１の出力能力が２ｋＷであり、太陽電池１１０２の出力能力が４ｋＷであり、ＰＣＳ１３０２の出力能力が６ｋＷであるケースについて考える。このようなケースにおいて、太陽電池１１０１及びＰＣＳ１３０１に係る設備認定出力は、２ｋＷであり、太陽電池１１０２及びＰＣＳ１３０２に係る設備認定出力は、４ｋＷである。従って、需要家施設１００の全体に係る設備認定出力は、６ｋＷである。従って、抑制度合いは、需要家施設１００の全体に係る設備認定出力（６ｋＷ）に対する抑制割合（例えば、○○％）で表される。以下、このような前提下で説明を続けるものとする。
【００３７】
記録装置５００は、各種情報を記録する装置である。具体的には、記録装置５００は、分散電源の出力の抑制が正しく実行されたか否かを検証するための検証記録を記録する。ここで、検証記録は、ＥＭＳ２００から出力される。従って、検証記録の詳細については後述する。
【００３８】
（電力変換装置）
以下において、実施形態に係る電力変換装置について説明する。図２は、実施形態に係るＰＣＳ１３０１を示す図である。図３は、実施形態に係るＰＣＳ１３０２を示す図である。
【００３９】
図２に示すように、ＰＣＳ１３０１は、DC/DCコンバータ１３１１と、インバータ１３３１と、制御部１３４１と、通信部１３５１とを有する。
【００４０】
DC/DCコンバータ１３１１は、太陽電池１１０１から入力されるＤＣ電力の電圧を変換する第１直流コンバータである。DC/DCコンバータ１３１１は、ＤＣ電力の電圧を昇圧変換してもよく、ＤＣ電力の電圧を降圧変換してもよい。
【００４１】
インバータ１３３１は、DC/DCコンバータ１３１１から入力されるＤＣ電力をＡＣ電力に変換する。
【００４２】
制御部１３４１は、ＰＣＳ１３０１を制御する。制御部１３４１は、太陽電池１１０１の発電量を制御する。詳細には、制御部１３４１は、ＭＰＰＴ（Ｍａｘｉｍｕｍ  Ｐｏｗｅｒ  Ｐｏｉｎｔ  Ｔｒａｃｋｉｎｇ）法によって太陽電池１１０１の発電量を制御する。これによって、太陽電池１１０１の動作点（動作点電圧値及び電力値によって定まる点、又は、動作点電圧値と電流値とによって定まる点）が最適化される。
【００４３】
通信部１３５１は、ＥＭＳ２００と通信を行う。例えば、通信部１３５１は、太陽電池１１０１の発電量、インバータ１３３１の出力電力などの情報をＥＭＳ２００に送信する。
【００４４】
図３に示すように、ＰＣＳ１３０２は、DC/DCコンバータ１３１２と、DC/DCコンバータ１３２２と、インバータ１３３２と、制御部１３４２と、通信部１３５２とを有する。
【００４５】
DC/DCコンバータ１３１２は、太陽電池１１０２から入力されるＤＣ電力の電圧を変換する第１直流コンバータである。DC/DCコンバータ１３１２は、ＤＣ電力の電圧を昇圧変換してもよく、ＤＣ電力の電圧を降圧変換してもよい。
【００４６】
DC/DCコンバータ１３２２は、蓄電池１２０から入力されるＤＣ電力の電圧を変換する第２直流コンバータである。さらには、DC/DCコンバータ１３２２は、インバータ１３３２から入力されるＤＣ電力の電圧を変換する。DC/DCコンバータ１３２２は、ＤＣ電力の電圧を昇圧変換してもよく、ＤＣ電力の電圧を降圧変換してもよい。
【００４７】
ここで、蓄電池１２０からDC/DCコンバータ１３２２にＤＣ電力を出力する動作は、蓄電池１２０の放電であることに留意すべきである。DC/DCコンバータ１３２２から蓄電池１２０にＤＣ電力を出力する動作は、蓄電池１２０の充電であることに留意すべきである。
【００４８】
インバータ１３３２は、DC/DCコンバータ１３１２から入力されるＤＣ電力及びDC/DCコンバータ１３２２から入力されるＤＣ電力をＡＣ電力に変換する。さらに、インバータ１３３２は、電力系統１０から供給されるＡＣ電力をＤＣ電力に変換する。
【００４９】
制御部１３４２は、ＰＣＳ１３０を制御する。第１に、制御部１３４２は、太陽電池１１０２の発電量を制御する。詳細には、制御部１３４２は、ＭＰＰＴ（Ｍａｘｉｍｕｍ  Ｐｏｗｅｒ  Ｐｏｉｎｔ  Ｔｒａｃｋｉｎｇ）法によって太陽電池１１０２の発電量を制御する。これによって、太陽電池１１０２の動作点（動作点電圧値及び電力値によって定まる点、又は、動作点電圧値と電流値とによって定まる点）が最適化される。第２に、制御部１３４２は、蓄電池１２０の充電量及び放電量を制御する。
【００５０】
通信部１３５２は、ＥＭＳ２００と通信を行う。例えば、通信部１３５２は、太陽電池１１０２の発電量、インバータ１３３２の出力電力などの情報をＥＭＳ２００に送信する。
【００５１】
（電力管理装置）
以下において、実施形態に係る電力管理装置について説明する。図４は、実施形態に係るＥＭＳ２００を示す図である。図４に示すように、ＥＭＳ２００は、通信部２１０と、制御部２２０とを有する。
【００５２】
通信部２１０は、リレー１０Ｓ、ＰＣＳ１３０、外部サーバ４００及び記録装置５００と通信を行う。例えば、通信部２１０は、リレー１０Ｓ及びＰＣＳ１３０に必要なコマンドを送信する。通信部２１０は、上述した出力抑制メッセージ又は計画表（カレンダー）を外部サーバ４００から受信する。通信部２１０は、分散電源の出力の抑制が正しく実行されたか否かを検証するための検証記録を記録装置５００に送信する。
【００５３】
制御部２２０は、ＥＭＳ２００を制御する。具体的には、制御部２２０は、複数の太陽電池１１０を個別に制御する複数のＰＣＳ１３０を管理する。制御部２２０は、複数の太陽電池１１０の合計出力を抑制すべき期間である抑制期間において、複数のＰＣＳ１３０のうち、１以上のＰＣＳ１３０である対象変換装置を電力系統から解列する制御を行う。但し、対象変換装置は、電力系統１０から解列された状態で負荷１５０に対する電力を供給する。制御部２２０は、出力抑制メッセージ又は計画表（カレンダー）に基づいて抑制期間を特定することができる。
【００５４】
実施形態では、制御部２２０は、抑制期間において、リレー１０Ｓを閉状態から開状態に切り替えることによって、主幹電力線１０Ｌ上においてリレー１０Ｓよりも下流に接続されたＰＣＳ１３０２を対象変換装置として電力系統１０から解列する制御を行う。
【００５５】
例えば、需要家施設１００の全体に係る設備認定出力が６ｋＷであり、抑制度合いが設備認定出力（６ｋＷ）に対する抑制割合（５０％）で表されるケースについて説明する。このようなケースにおいて、ＰＣＳ１３０２が電力系統１０から解列されるため、抑制期間であっても、需要家施設１００の全体として太陽電池１１０の出力抑制が実現されているため、ＰＣＳ１３０１（太陽電池１１０１）の出力を抑制する必要がない。一方で、ＰＣＳ１３０２は、電力系統１０から解列された状態で負荷１５０に対する電力を供給することに留意すべきである。
【００５６】
ここで、制御部２２０は、対象変換装置（ここでは、ＰＣＳ１３０２）の出力によって負荷１５０の消費電力を賄える場合に、対象変換装置を電力系統１０から解列する制御を行うことが好ましい。ＰＣＳ１３０２の出力は、太陽電池１１０２の発電量及び蓄電池１２０の蓄電量の合計である。言い換えると、制御部２２０は、対象変換装置（ここでは、ＰＣＳ１３０２）の出力によって負荷１５０の消費電力を賄えない場合に、対象変換装置を電力系統１０から解列せずに、複数の太陽電池１１０（太陽電池１１０１及び太陽電池１１０２）の出力を抑制する。
【００５７】
実施形態において、制御部２２０は、対象変換装置（ここでは、ＰＣＳ１３０２）が電力系統１０から解列された場合に、複数の太陽電池１１０の合計出力の抑制が正しく実行されたか否かを検証するための検証記録として、対象変換装置を除く電力変換装置（ここでは、ＰＣＳ１３０１）の出力値を出力する。検証記録は、記録装置５００に送信されるとともに、記録装置５００に記録される。
【００５８】
（制御方法）
以下において、実施形態に係る制御方法について説明する。図５は、実施形態に係る制御方法を示すフロー図である。ここでは、抑制期間が出力抑制メッセージによって通知されるケースを例示する。
【００５９】
図５に示すように、ステップＳ１０において、外部サーバ４００は、太陽電池１１０の出力の抑制を指示する出力抑制メッセージを通知する。
【００６０】
ステップＳ１１において、ＥＭＳ２００は、出力抑制メッセージを受信したか否かを判定する。判定結果がＹＥＳである場合には、ＥＭＳ２００は、ステップＳ１２の処理に移る。判定結果がＮＯである場合には、ＥＭＳ２００は、そのまま待機する。
【００６１】
ステップＳ１２において、ＥＭＳ２００は、リレー１０Ｓを閉状態から開状態に切り替えることによって、主幹電力線１０Ｌ上においてリレー１０Ｓよりも下流に接続されたＰＣＳ１３０２を対象変換装置として電力系統１０から解列する制御を行う（解列処理）。
【００６２】
ステップＳ１３において、ＰＣＳ１３０２は、電力系統１０から解列された状態で動作する（自立運転処理）。すなわち、負荷１５０の消費電力は、ＰＣＳ１３０２の出力によって賄われる。
【００６３】
（作用及び効果）
実施形態では、ＥＭＳ２００は、抑制期間において、複数のＰＣＳ１３０のうち、１以上のＰＣＳ１３０である対象変換装置を電力系統から解列する制御を行う。このような場合には、複数の太陽電池１１０（需要家施設１００）の全体として太陽電池１１０の出力抑制が実現されているため、対象変換装置以外のＰＣＳ１３０に接続された太陽電池１１０の出力を抑制する必要がない。従って、太陽電池１１０の出力を抑制電力閾値以下に抑制するケースにおいて、ユーザの不利益が軽減される。
【００６４】
［変更例１］
以下において、実施形態の変更例１について説明する。以下においては、上述した実施形態に対する差異について説明する。
【００６５】
変更例１において、複数のＰＣＳ１３０は、図６に示すように、主幹電力線１０Ｌと複数の分岐電力線（分岐電力線１１Ｌ及び分岐電力線１２Ｌ）を介して個別に接続されている。複数の分岐電力線（分岐電力線１１Ｌ及び分岐電力線１２Ｌ）には、複数のリレー（リレー１１ＳＷ及びリレー１２ＳＷ）が個別に設けられている。すなわち、複数のＰＣＳ１３０のそれぞれを電力系統１０から個別に解列することができる。
【００６６】
このようなケースにおいて、ＥＭＳ２００（制御部２２０）は、複数のＰＣＳ１３０の中から、複数のＰＣＳ１３０のそれぞれの出力能力に基づいて対象変換装置を選択する。ＥＭＳ２００は、抑制期間において、対象変換装置に接続された分岐電力線に設けられるリレーを閉状態から開状態に切り替える制御を行う。
【００６７】
例えば、ＥＭＳ２００は、対象変換装置の出力によって負荷１５０の消費電力を賄える場合に、対象変換装置を選択することが好ましい。ＥＭＳ２００は、出力能力が大きい電力変換装置を優先的に対象変換装置として選択することが好ましい。
【００６８】
［変更例２］
以下において、実施形態の変更例２について説明する。以下においては、上述した実施形態に対する差異について説明する。
【００６９】
変更例２においては、ＥＭＳ２００は、図７に示すように、記録部２３０を有する。記録部２３０は、記録装置５００と同様に、分散電源の出力の抑制が正しく実行されたか否かを検証するための検証記録を記録する。このようなケースにおいて、記録部２３０は、制御部２２０から出力される検証記録を記録することに留意すべきである。
【００７０】
変更例３においては、検証記録を記録する記録部２３０がＥＭＳ２００に設けられているため、電力管理システム１は、記録装置５００を有していなくてもよい。
【００７１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７２】
実施形態では、出力抑制メッセージに従って動作すべき分散電源として太陽電池１１０を例示した。しかしながら、分散電源はこれに限定されるものではない。分散電源は、風力又は地熱などの自然エネルギーを利用して電力を発電する装置であってもよい。或いは、分散電源は、燃料ガスを利用して電力を生成する燃料電池であってもよい。
【符号の説明】
【００７３】
１…電力管理システム、１０…電力系統、１０Ｌ…主幹電力線、１０Ｓ…リレー、１１Ｌ…分岐電力線、１１ＳＷ…リレー、１２Ｌ…分岐電力線、１２ＳＷ…リレー、１００…需要家施設、１１０…太陽電池、１２０…蓄電池、１３０…ＰＣＳ、１３１…DC/DCコンバータ、１３２…DC/DCコンバータ、１３３…インバータ、１３４…制御部、１３５…通信部、１４０…分電盤、１５０…負荷、２００…ＥＭＳ、２１０…通信部、２２０…制御部、２３０…記録部、３００…ネットッワーク、４００…外部サーバ、５００…記録装置
【図１】
2016158405.tif 000003
【図２】
2016158405.tif 000004
【図３】
2016158405.tif 000005
【図４】
2016158405.tif 000006
【図５】
2016158405.tif 000007
【図６】
2016158405.tif 000008
【図７】
2016158405.tif 000009